(57)【特許請求の範囲】
【請求項１】
過負荷又は短絡を表す第１保護パラメータ（Ｐ１）を設定するように設計された設定選択スイッチ（４）と、ユーザがアクセス可能な表示手段（１７）と、電流センサ（３）及び前記設定選択スイッチ（４）へ接続された処理ユニットとを備え、
前記処理ユニットが、
基本保護機能を実施するために前記電流センサ（３）及び前記設定選択スイッチ（４）に接続された第１デジタル処理手段（１５）と、
前記第１デジタル処理手段（１５）と第２保護パラメータを遠隔設定によって設定可能にする通信手段（１８）とに接続された第２デジタル処理手段（１６）と、
を有する引外し制御装置において、
前記表示手段（１７）が前記第２デジタル処理手段（１６）へ接続され、
前記処理ユニットが、前記第１保護パラメータ（Ｐ１）と第２保護パラメータ（Ｐ２）とを比較する手段（Ｆ３）と、第１保護パラメータ（Ｐ１）と第２保護パラメータ（Ｐ２）のうちの低い方のパラメータを表す第３保護パラメータ（Ｐ３）を決定する手段（Ｆ４、Ｆ５）とを備え、
前記表示手段（１７）が第３保護パラメータ（Ｐ３）を表示し、
前記処理ユニットが電流センサ（３）によって測定された電流（Ｉ）及び第３保護パラメータ（Ｐ３）に基づいてトリップ信号（Ｄ）を生成する、
ことを特徴とする引外し制御装置。
【請求項２】
前記第１デジタル処理手段（１５）が前記電流センサ（３）によって測定された電流（Ｉ）及び第１保護パラメータ（Ｐ１）に基づいて第１トリップ信号（Ｄ２）を生成し、前記第２デジタル処理手段（１６）が電流センサ（３）によって測定された電流（Ｉ）及び第３保護パラメータ（Ｐ３）に基づいて第２トリップ信号（Ｄ１）を生成し、ＯＲ論理回路（２１）が第１トリップ信号（Ｄ２）又は第２トリップ信号（Ｄ１）を受信するとトリップ信号（Ｄ）を供給することを特徴とする請求項１に記載の引外し制御装置。
【請求項３】
前記第１デジタル処理手段（１５）が前記電流センサ（３）によって測定された電流（Ｉ）及び第３保護パラメータ（Ｐ３）に基づいてトリップ信号（Ｄ）を生成することを特徴とする請求項１に記載の引外し制御装置。
【請求項４】
第４保護パラメータ（Ｐ４）を設定し、かつユーザがアクセス可能であるように設計され、前記処理ユニットに接続されたキーパッド（１９）を有し、前記処理ユニットが第１と第２と第４の各保護パラメータ（Ｐ１、Ｐ２、Ｐ４）のうちの最も低いものから第３保護パラメータ（Ｐ３）を決定することを特徴とする請求項１乃至３のいずれか１項に記載の引外し制御装置。
【請求項５】
前記キーパッド（１９）が前記第２デジタル処理手段（１６）へ接続されることを特徴とする請求項４に記載の引外し制御装置。
【請求項６】
前記設定選択スイッチ（４）を覆うカバー（２３）を有し、前記引外し制御装置は前記カバー（２３）が閉じた位置にある場合に前記キーパッド（１９）の調節設定機能を無能化する手段を有することを特徴とする請求項４又は５に記載の引外し制御装置。
【請求項７】
前記カバー（２３）を閉じた位置に保持し、それによって、前記設定選択スイッチ（４）の位置を後で修正することを防止する手段を有することを特徴とする請求項６に記載の引外し制御装置。
【請求項８】
前記カバー（２３）が、前記引外し制御装置の前面パネル（２２）に設置され、かつ前記カバー（２３）の閉じた位置において前記設定選択スイッチ（４）を覆うドアによって構成され、前記ドアが、前記カバー（２３）が閉じた位置にある場合に前記処理ユニットの相補エレメント（２５）を活性化し、前記キーパッド（１９）の調節設定機能を無能化する差し込み（２４）を有することを特徴とする請求項６又は７に記載の引外し制御装置。
【請求項９】
前記差し込み（２４）は破壊することが可能であって、破壊することによって、前記カバー（２３）が閉じた位置にある場合に前記キーパッド（１９）の調節設定機能の無能化を解除できることを特徴とする請求項８に記載の引外し制御装置。
【請求項１０】
前記第１デジタル処理手段（１５）が遠隔設定によって供給された第２保護パラメータ（Ｐ２）を考慮するか否かを可能にする入力端子（Ａ）を有することを特徴とする請求項１乃至９のいずれか１項に記載の引外し制御装置。
【発明の詳細な説明】
【０００１】
【発明の属する分野】
本発明は、過負荷又は短絡を表す第１保護パラメータを設定するように設計された設定選択スイッチと、ユーザがアクセス可能な表示手段と、電流センサ及び前記設定選択スイッチへ接続された処理ユニットとを備え、
前記処理ユニットが、
基本保護機能を実施するために前記電流センサ及び前記設定選択スイッチに接続された第１デジタル処理手段と、
前記第１デジタル処理手段と第２保護パラメータを遠隔設定によって設定可能にする通信手段とに接続された第２デジタル処理手段と、
を有する引外し制御装置に関する。
【０００２】
【従来の技術】
既知の引外し制御装置は、一般に、分圧器及び選択スイッチの少なくとも一方を前面パネルに備え、保護パラメータの調節、設定を可能にしている。他の引外し制御装置は表示装置とキーパッドの両方を装備し、保護パラメータの調節、設定及び読取りを可能にしている。後者の引外し制御装置は保護パラメータの遠隔設定手段を有することもある。
【０００３】
米国特許第５，３１１，３９２号は、マイクロプロセッサを基本とする２つの処理回路を有する引外し制御装置について開示している。この種の引外し制御装置１を図１に示す。これは、過負荷及び短絡に対する保護、即ち、長期遅延、短期遅延、瞬間的、及び、適用可能であれば接地保護機能を実施するように設計された第１マイクロプロセッサを基本とする第１処理回路２を有する。この第１処理回路２は、通常、電流センサ３、引外し制御装置の前面パネルに設置された設定選択スイッチ４、表示装置５及び引外しコイル６に接続される。更に、この第１処理回路は、通信機能及び追加的監視と保護機能（電圧に関しては、位相変位、出力、周波数、等々）を実施するように設計された第２マイクロプロセッサを基本とする第２処理回路７を有する。第２処理回路７は双方向リンクによって第１処理回路へ接続される。この第２処理回路７は、電流センサ３及び電圧センサ８にも接続される。更に、この第２処理回路７は、遠隔表示装置１０に接続されるように設計された第１インタフェース９、及び、コンピュータ１２に接続されるように設計された第２インタフェース１１に接続される。更に、第１処理回路が機能不全である場合には第２処理回路７はバックアップ保護機能も実施する。図２における実線は、設定選択スイッチ４によって設定される保護パラメータを考慮に入れて第１処理回路２によって使用される時間と電流の関係を示すトリップ曲線（以下、第１トリップ曲線とも言う）を表す。
【０００４】
第２処理回路は、図２に点線で示す第２トリップ曲線を考慮に入れてバックアップ機能を実施する。第２トリップ曲線に対応する保護パラメータは選択スイッチによって設定される値よりも全体的に高い。それらは、ユーザにより修正できないように事前設定が可能であったり、インタフェース９及び１１を介して調節可能であったり、第１トリップ曲線のシフトによる設定が可能であったりする。第２処理回路７は、補助電源１３により連続的に電力供給され、引外しコイル６に接続されたトリップ出力端子を有する。正常運転中は、電流センサ３によって測定された電流及び選択スイッチによって設定されたパラメータに従い第１処理回路２は電流保護機能を実施し、第２処理回路は追加的な測定及び保護機能を実施する。第１処理回路２が故障した場合には、電流センサ３によって測定された同じ電流値及び図２の第２トリップ曲線に対応するバックアップパラメータを用いて、第２処理回路７が電流保護機能を実施する。
【０００５】
【発明が解決しようとする課題】
本発明の目的は、レンジ最下位及びレンジ最上位両方の引外し制御に適した保護パラメータを調節する手段を備えた引外し制御装置を提供することにある。
【０００６】
【課題を解決するための手段】
本発明によれば、この目的は次の事実によって達成される、即ち、表示手段は第２処理手段へ接続され、処理ユニットは第１パラメータと第２パラメータを比較する手段と、第１パラメータと第２パラメータのうちの低い方を表す第３保護パラメータを決定する手段と、第３保護パラメータを表示する表示手段と、電流センサによって測定された電流及び第３保護パラメータに従ってトリップ信号を生成する処理ユニットを有する。
【０００７】
第１の変形実施形態によれば、第１処理手段は電流センサによって測定された電流及び第１保護パラメータに基づく第１トリップ信号を生成し、第２処理手段は電流センサによって測定された電流及び第３保護パラメータに基づく第２トリップ信号を生成し、ＯＲ論理回路は、第１又は第２トリップ信号を受信した場合にトリップ信号を供給する。
【０００８】
第２の変形実施形態によれば、第１処理手段は電流センサによって測定された電流及び第３保護パラメータに基づいてトリップ信号を生成することが好ましい。本発明の開発例によれば、引外し制御装置は処理ユニットへ接続されたキーパッドと、第４保護パラメータを設定し、かつユーザがアクセス可能であるように設計され、第１と第２と第４の保護パラメータのうちの最も低い保護パラメータから第３保護パラメータを決定する処理ユニットとを備える。
【０００９】
本発明の他の開発例によれば、本引外し制御装置は設定選択スイッチを覆うカバーを有し、本引外し制御装置は、カバーが閉じた位置においてキーパッドによる調整設定の機能を無能化する手段を有する。
【００１０】
前記カバーは、引外し制御装置の前面パネルに設置され、カバーが閉じた位置において設定選択スイッチを覆うドアによって構成され、前記ドアは前記カバーが閉じた位置においてキーパッドによる調整設定の機能を無能化するように処理ユニットの相補エレメントを活性化する差し込みを有することが好ましい。カバーが閉じた位置においてキーパッドの調整設定の機能の無能化を解除するように、この差し込みは破壊可能であることが好ましい。
【００１１】
【発明の実施の形態】
図３に示した引外し制御装置１４は、引外し制御装置の過負荷及び短絡保護機能（長期遅延、短期遅延、瞬間的、及び、適用可能であれば接地保護）を実施するように設計された第１デジタル処理ユニットを構成する基本モジュール１５を有する。このモジュールはＡＳＩＣ型集積回路（Application Specfic Integlated Circuit）によって形成されることが好ましく、マイクロプロセッサを備えることも有り得る。この基本モジュール１５は、従来技術の場合と同様に、保護されるべき電力システムの導体内電流の値Ｉを引外しコイル６に供給する電流センサに接続され、過負荷又は短絡に際して、前記基本モジュール１５は引外しコイル６へトリップ信号Ｄを供給する。このモジュールは、従来の方式に従って第１保護パラメータＰ１が提供される設定選択スイッチ４に接続される。
【００１２】
この種の基本モジュール１５は、全てのレンジの引外し制御装置用に使用される。最も簡単なモジュールは上記の要素のみを含む。本発明に基づくレンジ最上位の引外し制御装置は図３の場合と同じ要素で構成される。本発明に基づく引外し制御装置は第２のデジタル処理ユニットを構成する汎用モジュールで構成される。この汎用モジュールはマイクロプロセッサを基調とすることが好ましい。汎用モジュール１６は引外し制御装置の前面パネルに位置する表示装置１７、通信モジュール１８、及び、好ましくはキーパッド１９、及び、基本モジュール１５に接続される。
【００１３】
通信モジュール１８は、外部バス２０に接続される。前記バスは、他の事柄のうち、第２保護パラメータＰ２を遠隔設定により引外し制御装置に提供することを可能にする。好ましい実施形態において、汎用モジュール１６は、基本モジュール１５から、測定電流値Ｉ及び電圧値Ｕ、及び選択スイッチによって設定された第１保護パラメータＰ１の値を受け取る。引外し制御装置１４にとって考慮されるべき第３保護パラメータＰ３が決定され、これらのパラメータは、設定された場合又は必要に応じて、表示装置１７上に表示され、基本モジュール１５に伝送される。
【００１４】
汎用モジュール１６は、基本モジュールによって供給される電流値及び電圧値に基づいて、例えば、電圧、電力、及び、周波数保護機能のような追加保護機能も実施することが好ましい。電力計算は基本モジュールによって実施され、その後で汎用モジュールへ伝送されるか、又は、汎用モジュールによって直接実施される。後者の場合は、一層精密な追加電流センサ（図示せず）へ接続され、保護されるべき導体を流れる電流の一層精密な解析、例えば調波解析を可能にすることもあり得る。汎用モジュールは、通信モジュール１８又はキーパッド１９を介して、追加的保護機能が使用するべきパラメータの値を受け取る。故障の場合には、警報信号及び第２トリップ信号Ｄ１の少なくとも一方が生成され、基本モジュール１５へ伝送され、引外しコイル６を励磁する。
【００１５】
引外し制御装置１４は、第１保護パラメータＰ１及び第２保護パラメータＰ２のどちらか低い方を表す第３保護パラメータＰ３を常に考慮する。それぞれの保護パラメータＰ１、Ｐ２、及び、Ｐ３に対応する３個の時間と電流の関係を示すトリップ曲線を図４に示す。各トリップ曲線は、対数座標において、比率Ｉ／Ｉｎの関数として引外し時間ｔを表す。ここに、Ｉｎは引外し制御装置の定格電流であり、既知の方法に従い、較正モジュールによって決定可能である。
【００１６】
図４における、第１保護パラメータＰ１の値を次に示す。
長期遅延しきい値  Ｓ１ａ＝０．７Ｉｎ
長期遅延時間Ｔ１ａ＝２０秒（６Ｉｎにおいて）
短期遅延しきい値Ｓ２ａ＝７Ｉｎ
短期遅延時間Ｔ２ａ＝０．５秒（８Ｉｎにおいて）
瞬間しきい値Ｓ３ａ＝１０Ｉｎ
【００１７】
第２保護パラメータＰ２の値を次に示す。
長期遅延しきい値Ｓ１ｂ＝Ｉｎ
長期遅延時間Ｔ１ｂ＝１０秒  （６Ｉｎにおいて）
短期遅延しきい値Ｓ２ｂ＝３Ｉｎ
短期遅延時間Ｔ２ｂ＝０．２秒  （８Ｉｎにおいて）
瞬間しきい値Ｓ３ｂ＝１５Ｉｎ
【００１８】
ここに示す実施形態における長期遅延及び短期遅延トリップ曲線はＩ２ｔ曲線である。
【００１９】
引外し制御装置によって用いられる第３保護パラメータを決定するためのサブルーチンを図５に示す。特定の実施形態におけるステップＦ１において、汎用モジュール１６のマイクロプロセッサは、設定選択スイッチ４によって設定される第１保護パラメータＰ１を読み取り、その結果が基本モジュール１５によって前記マイクロプロセッサに伝送される。次に、ステップＦ２において、外部バス２０及び通信モジュール１８によって前記マイクロプロセッサに伝送された遠隔設定に対応する第２保護パラメータＰ２が読み取られる。
【００２０】
ステップＦ３において、各第２保護パラメータＰ２と対応する第１保護パラメータＰ１とが比較される、即ち、Ｓ１ａとＳ１ｂ、Ｓ２ａとＳ２ｂ、Ｔ１ａとＴ１ｂ、Ｔ２ａとＴ２ｂ、Ｓ３ａとＳ３ｂが比較される。第２パラメータＰ２が対応する第１保護パラメータＰ１（Ｆ３の出力ＹＥＳ）より低い場合には、対応する第３保護パラメータＰ３に値Ｐ２を与える（ステップＦ４）。反対の場合（Ｆ３の出力ＮＯ）には、第３保護パラメータＰ３は対応する値Ｐ１をとる（ステップＦ５）。
【００２１】
図４に示す実施形態において、第３保護パラメータＰ３は結果的に次の値をとる。
長期遅延しきい値：Ｓ１＝Ｓ１ａ＝０．７Ｉｎ
長期遅延時間：Ｔ１＝１０秒  （６Ｉｎにおいて）
短期遅延しきい値：Ｓ２＝Ｓ２ｂ＝３Ｉｎ
短期遅延時間：Ｔ２＝Ｔ２ａ＝０．２秒  （８Ｉｎにおいて）
瞬間しきい値：Ｓ３＝Ｓ３ａ＝１０Ｉｎ
【００２２】
キーパッド１９が活性化されると、第４保護パラメータＰ４は汎用モジュール１６に伝送される。キーパッドが作動する場合には、汎用モジュールのマイクロプロセッサはステップＦ６においてチェックを行う（図５）。この場合（Ｆ６の出力ＹＥＳ）には、ステップＦ７において第４保護パラメータＰ４の値を読み取り、次に、ステップＦ８において、第４保護パラメータＰ４と対応する第３保護パラメータＰ３とを比較する。第４保護パラメータＰ４が対応する第３保護パラメータＰ３より低い場合（Ｆ８の出力ＹＥＳ）には、第３保護パラメータＰ３は対応する第４保護パラメータＰ４の値をとる。ステップＦ９の後で、又は、キーパッドが操作されない場合（Ｆ６の出力ＮＯ）、又は、Ｐ４がＰ３よりも低くない場合（Ｆ８の出力ＮＯ）には、汎用モジュールのマイクロプロセッサは引外し制御装置の前面パネルに位置する表示装置１７における第３保護パラメータＰ３の表示を続行する（ステップＦ１０）。
【００２３】
図３の実施形態において、第３保護パラメータＰ３は基本モジュール１５に伝送される。前記基本モジュールは、電流センサによって測定された電流Ｉ及び第３保護パラメータＰ３に基づき、基本電流保護機能を実施する。汎用モジュールも同様にこれらの機能を冗長な様式において実施可能であるか、又は、追加的な保護機能及び測定機能だけを実施可能である。
【００２４】
従って、上記の引外し制御装置１４は、電流保護パラメータを調節する３つの手段を持つ。即ち、前面パネルに設置された設定選択スイッチ４と外部バス２０及び通信モジュール１８による遠隔設定と引外し制御装置の前面パネルに位置するキーパッド１９である。レンジ最下位の引外し制御装置は選択スイッチのみを有する。これらの選択スイッチは、キーパッド及び表示装置を有するレンジ最上位の引外し制御装置にも装備され、遠隔設定によって調節可能である。レンジの最上位の引外し制御装置に選択スイッチが装備される場合には、当該レンジの全ての引外し制御装置において使用され、かつ同じ動作を継続する選択スイッチによって設定されるタイプの調節をユーザが継続して利用することを可能にする。ただし、レンジ最上位の引外し制御装置を用いる場合には、ユーザは、必要に応じて、選択スイッチの代りにキーパッドを使用するか、或いは、遠隔プログラミングを使用することができる。
【００２５】
引外し制御装置は常に最も低いパラメータを選択するので、選択スイッチは当該設備の究極的な保護を設定すると見なすことが出来る。すなわち、キーパッドを介しての構内調節によるか、又は、通信モジュールによる遠隔調節のどちらによってもトリップ曲線を越えることが出来ない。システムの信頼度は、当該レンジの全ての引外し制御装置用基本モジュールの信頼度に依存する。汎用モジュール１６が作動しない場合には、基本モジュール１５が依然として保護機能を継続する。
【００２６】
更に、選択スイッチが動作すると、その結果として、遠隔設定又はキーパッドを介した設定の場合と同様に、引外し制御装置が使用するパラメータが前面パネル上に表示される。
【００２７】
基本モジュール１５は、遠隔設定によって提供されるパラメータを使用するか否かの決定を可能にする信号Ａ（図３）を受け取る入力端子を備えることができる。例えば、信号Ａが論理レベル１（例えば、５Ｖ）である場合には、基本モジュールは第３保護パラメータＰ３を用いる。一方、信号Ａが論理レベル０（例えば、０Ｖ）である場合には、第３保護パラメータＰ３は使用されず、選択スイッチによって提供される第１保護パラメータＰ１に従う保護機能が自動的に実施される。この場合、この情報は、第１保護パラメータＰ１を表示するために第３保護パラメータＰ３の値として第１保護パラメータＰ１の値をとる汎用モジュールに伝送されることが好ましく、その場合には、当該保護が実際に使用している値に基づいて表示される。
【００２８】
変形実施形態としてのサブルーチンを図６に示す。この図において、Ａの値をチェックするために、ステップＦ１の後でステップＦ１１が実施される。Ａ＝１（Ｆ１１の出力ＹＥＳ）ならば、基本モジュールは遠隔設定値を使用することが許可され、汎用モジュール１６のマイクロプロセッサがステップＦ２に行く。他方、Ａが１に等しくない場合には（Ｆ１１の出力ＮＯ）、ステップＦ１２において、第３保護パラメータＰ３は対応する第１保護パラメータＰ１の値をとり、次に、マイクロプロセッサは直接ステップＦ１０へ行くか、又は、基本モジュールがキーパッドを介した設定値を使用可能であることが要求される場合には、ステップＦ６に行く。
【００２９】
図７に示す変形実施形態において、汎用モジュール１６及び基本モジュール１５は両方とも、ＯＲ機能を実施し、かつ出力端に引外しコイル６が接続されたＯＲ論理回路２１の入力端に接続される。基本モジュール１５は第１保護パラメータＰ１のみを使用するが、汎用モジュール１６は、前回と同様に、保護パラメータＰ１、Ｐ２及びＰ４から最も低い値Ｐ３を決定し、第３保護パラメータＰ３を表示する。基本保護は、第３保護パラメータＰ３及び基本モジュールによって伝送される電流値Ｉに基づいて実施される。故障の場合には、汎用モジュール１６は第３保護パラメータＰ３に基づく第２トリップ信号Ｄ１をＯＲ論理回路２１に供給し、基本モジュール１５は第１保護パラメータＰ１に基づく第１トリップ信号Ｄ２をＯＲ論理回路２１に供給する。従って、ＯＲ論理回路２１の出力に供給されるトリップ信号Ｄも同様に低い方のパラメータを使用するトリップ曲線に対応する。
【００３０】
レンジ最下位の引外し制御装置において、選択スイッチ位置の一切の事後変更を防止し、又は、認可された要員によるパラメータ修正の可能性を保有するために、設定選択スイッチはカバー、好ましくは透明で密封可能なカバーで覆うことが知られている。図８に示す引外し制御装置の前面パネル２２は、設定選択スイッチ４に接触するために開けることのできる、例えば透明ドアによって形成されたカバー２３を備える。前記ドアが開いた状態を図９に示す。好ましい実施形態において、カバー２３が閉じられた場合、キーパッド１９への接触は可能であるが、その設定調節機能が無能化された状態になる。従って、第３保護パラメータＰ３、測定された電流又は電圧値、算定された電力値等々の表示はキーパッドを介して要請可能である。ただし、カバー２３が閉鎖位置に在る限り、新規に第４保護パラメータＰ４を提供することは出来ない。ドアは、例えば、相補形のエレメントを活性化する差し込み２４を備える。この差し込み２４は処理ユニットのプリント回路基板、好ましくは汎用モジュール１６上に位置する相補エレメントとしての電子接点２５（図示を省略）によって構成されることが好ましい。
【００３１】
ドアが閉じている場合には、電子接点２５が活性化され、汎用モジュールのソフトウェアは第４保護パラメータＰ４がキーパッド１９を介して入力されることを防止する。
【００３２】
差し込み２４は破壊可能にすることが好ましい。差し込み（図１０）の破壊部分２６を取り去ると、キーパッドによる設定機能の無効化が解除される。カバーは密封されているので、設定選択スイッチ４によって設定された当該設備の最終保護が変更されることを防止し、同時に、キーパッド１９による保護の修正を可能にする。
【００３３】
図４に示すように、本発明は長期遅延及び短期遅延Ｉ２ｔのトリップ曲線だけでなく、あらゆるタイプのトリップ曲線（一定時間、極度に逆、等々）に適用される。
【００３４】
従って、本発明は、３つの設定レベル（選択スイッチ、遠隔設定、キーパッド）の間で、真の一貫性が得られることを可能にする。基本モジュール、好ましくはＡＳＩＣ形式のモジュールを使用すると、どのようなタイプの引外し制御装置であっても、その信頼性を向上させることができる。汎用モジュールによって実施される通信機能、表示機能、等々の複雑性は、実際に、ＡＳＩＣによって実施される基本的な保護信頼度を低下させることはない。
他の利点及び特徴は、本発明の特定の実施形態についての次の記述から更に明瞭になるはずである。ただし、前記の実施形態は制限的な意味を持たない例に過ぎず、次の添付図面によって表される。
【図面の簡単な説明】
【図１】従来の技術に基づいて２つのマイクロプロセッサを備えた引外し制御装置を示す図。
【図２】図１に示す引外し制御装置のトリップ曲線を示した図。
【図３】本発明に基づく特定の実施形態を示した図。
【図４】図３に示す引外し制御装置のトリップ曲線を示した図。
【図５】本発明に基づく引外し制御装置の保護パラメータを決定するフローチャートの特定実施形態を示した図。
【図６】図５に基づくフローチャートの変形バージョンを示した図。
【図７】図３に基づく引外し制御装置の変形実施形態を示した図。
【図８】カバーが閉じた位置にある状態における本発明に基づく引外し制御装置の前面パネルの特定実施形態を示した図。
【図９】カバーが開いた位置にある状態における図８に基づくカバーの特定実施形態を示した図。
【図１０】図９に基づくカバーの破壊可能な差し込みを示す拡大図。
【符号の説明】
４  設定選択スイッチ
６  引外しコイル
１４  引外し制御回路
１５  基本モジュール（第１デジタル処理手段）
１６  汎用モジュール（第２デジタル処理手段）
１７  表示装置（表示手段）
１８  通信モジュール（通信手段）
１９  キーパッド
２１  ＯＲ論理回路
２２  前面パネル
２３  カバー
２４  差し込み
【図１】
0004316073.tif 000002
【図２】
0004316073.tif 000003
【図３】
0004316073.tif 000004
【図４】
0004316073.tif 000005
【図５】
0004316073.tif 000006
【図６】
0004316073.tif 000007
【図７】
0004316073.tif 000008
【図８】
0004316073.tif 000009
【図９】
0004316073.tif 000010
【図１０】
0004316073.tif 000011